(57)【特許請求の範囲】
【請求項１】
２つの昇降そうこう及び１つの半そうこうを持つレノ耳形成装置であって、半そうこうが２つの脚辺を持ち、これらの脚辺が上端で頭部を形成して互いに結合され、下端がそれぞれ基部を持ち、この基部が昇降そうこうの少なくとも１つの磁石と磁気的に共同作用するものにおいて、半そうこう（５０）の基部（７０，８０）が、下方へ先細に形成され、かつ基部（７０，８０）が上側終端縁（７１，８１）を持ち、それにより昇降そうこう（２，３）の上昇方向（１００）において半そうこう（５０）の基部（７０，８０）へ作用する磁石（４０）の磁力が、昇降そうこう（２，３）の下降方向において半そうこう（５０）の基部（７０，８０）へ作用する磁石（４０）の磁力より小さく、従って半そうこう（５０）が昇降そうこう（２，３）の磁石（４０）により交互に磁気で制動可能であることを特徴とする、レノ耳形成装置。
【請求項２】
基部（７０，８０）の断面が下方へ先細になっていることを特徴とする、請求項１に記載のレノ耳形成装置。
【請求項３】
基都（７０，８０）が正面図で先細になっていることを特徴とする、請求項１に記載のレノ耳形成装置。
【請求項４】
脚辺（５１，５２）の下端が、基部（７０，８０）を形成しながら屈曲していることを特徴とする、請求項１に記載のレノ耳形成装置。
【請求項５】
脚辺（５１，５２）が外方へ屈曲して形成されていることを特徴とする、請求項１に記載のレノ耳形成装置。
【請求項６】
終端縁（７１，８１）が昇降そうこう（２，３）の磁石（４１，４２）のほぼ幅にわたって延びていることを特徴とする、請求項１に記載のレノ耳形成装置。
【請求項７】
基部（７０，８０）がほぼ三角形のように形成され、三角形の下方へ向く頂点が磁石（４１，４２）の中心へ向いていることを特徴とする、請求項１に記載のレノ耳形成装置。
【発明の詳細な説明】
【０００１】
【発明の属する技術分野】
本発明は、半そうこうが２つの脚辺を持ち、これらの脚辺が上端で頭部を形成しながら互いに結合され、下端がそれぞれ基部を持ち、この基部が昇降そうこうの少なくとも１つの磁石と磁気的に共同作用する、２つの昇降そうこう及び１つの半そうこうを持つレノ耳形成装置に関する。
【０００２】
【従来の技術】
ドイツ連邦共和国実用新案第８９０３７７５号明細書から金属製半そうこうが公知であり、良好な制御のため基部が昇降そうこうの磁石により全面を形成されている。
【０００３】
最初にあげた種類のレノ耳形成装置はドイツ連邦共和国特許第３８１８６８０号明細書（特公平３−７５６５０号公報）から公知である。この場合レノ耳形成装置は、織機の交互に動かされる２つのそうこう枠に設けられる２つの昇降そうこうから成っている。レノ耳形成装置は更に半そうこうを含み、この半そうこうはそうこう枠の運動に応じて昇降そうこうによりそれぞれ交互に連行される。半そうこうは２つの脚辺を持ち、これらの脚辺は上端で頭部を形成して互いに結合され、静止糸を案内する輪と共に運動する。このような半そうこうは金属材料から製造されている。各昇降そうこうは下端に少なくとも１つの磁石を持ち、この磁石がそれぞれの昇降そうこうにより半そうこうの制御される連行を行って、昇降そうこうによるそれぞれの連行運動中に、半そうこうが磁石により吸引されて昇降そうこうにより保持されるようにしている。この原理は、既に述べたようにドイツ連邦共和国特許第３８１８６８０号明細書から公知である。半そうこうは、昇降そうこうの案内開口を区画する連絡辺により連行され、少なくとも１つの昇降そうこうによる連行中に、半そうこうの両脚辺を結合する頭部が昇降そうこうの連絡辺上に載っている。
【０００４】
さて昇降そうこうがこの連絡辺の範囲で比較的速く切断することがわかつた。これは大体において１２００回までの横糸挿入の高い昇降回数のせいであり、半そうこうの頭部が高い速度及びそれに応じた高いエネルギーで昇降そうこうの連絡辺へ当ることに基く。このような切断を防止するため、昇降そうこうの磁石の下へストッパを挿入し、このストツパを半そうこうの脚辺の基部用の停止部として用いることも既に提案されている。これにより連絡辺の範囲における摩耗を著しく防止し、昇降そうこうの寿命を著しく長くすることができるけれども、特に織機における増大する昇降回数を考慮すると、この寿命はこのストツパによつてもまだ短かすぎる。
【０００５】
【発明が解決しようとする課題】
本発明の基礎になつている課題は、非常に高速の織機でも昇降そうこうの寿命の増大を可能にする、最初にあげた種類の半そうこうを提供することである。
【０００６】
【課題を解決するための手段】
この課題を解決するため本発明によれば、半そうこうの基部が、下方へ先細に形成され、かつ基部が上側終端縁を持ち、それにより昇降そうこうの上昇方向において半そうこうの基部へ作用する磁石の磁力が昇降そうこうの下降方向において半そうこうの基部へ作用する磁石の磁力より小さく、従って半そうこうが昇降そうこうの磁石により交互に磁気で制動可能である。
【０００７】
本発明によれば、半そうこうの基部が下方へ先細に形成されるので、半そうこうの基部が昇降そうこうの磁石の範囲に達する時、半そうこうの材料が下から上へ増大していることにより、磁力も下から上へ強くなる。これに反し半そうこうの基部が昇降そうこうの磁石の範囲から離れると、この方向に磁力が弱くなる。半そうこうの基部が下方へ先細になっていることにより、他方の昇降そうこうの磁石の磁界から基部が離れる際、逆方向に基部を昇降そうこうへ更に没入させようとする力より小さい力が必要である。その理由は、基部の終端縁に関連して、この終端縁を乗り越えるための抵抗が、基部を磁界から離すために必要な抵抗より大きいからである。
その結果、半そうこうの基部が昇降そうこうの磁石の範囲へ没入する際、基部が昇降そうこうの磁石の範囲へ深く没入するほど、基部従って半そうこうがそれだけ強く制動されるので、半そうこうの頭部が昇降そうこうの連絡辺に衝突して損傷することがなく、制動されて緩やかに昇降そうこうの連絡辺に載る。ひ口変化の際即ち半そうこうが隣接する他方の昇降そうこうにより連行される時、半そうこうの基部をこの昇降そうこうの磁石から離す力は、磁石からの距離の増大と共に小さくなるので、この場合も半そうこうの頭部が、半そうこうを連行する昇降そうこうの連絡辺に衝突することはない。
【０００８】
【発明の実施形態】
詳細には、半そうこうの基部は下方へ即ち上昇方向とは逆に先細になつている。この場合先細のやり方は断面でも昇降そうこうの脚辺の基部の正面図でも選択的に行うことができる。重要なことは、磁力が下から上へ磁気材料の増加により増大していることである。この場合下から上へとは、基部の下端から上方へ半そうこうの脚辺の方向へ見ることを意味している。この場合基部の形状は有利に三角形の形状を示し、この三角形の下方へ向く頂点は昇降そうこうの磁石の中心へ向いている。基部は上方へ即ち上端として終端縁を持つている。基部が下方へ先細になることによつて、基部が他方の昇降そうこうの磁石の磁界から脱出する際、上昇方向とは逆に基部を一方の昇降そうこうへ没入させようとする力より小さい力しか必要でない。この理由は、大体において磁石の全幅又は直径にわたつて有利に延びる基部の終端縁に関連して、この終端縁を乗り越えるための抵抗が、磁界からの基部の上昇方向への脱出に必要な抵抗より大きいからである。なぜならば、基部が先細になることによつて抵抗が連続的に減少し、これに反し終端縁を乗り越えるための抵抗は急に減少するが、急な移行のため著しく大きいからである。
【０００９】
本発明の特徴によれば、脚辺が下部範囲で基部を受入れるため屈曲して形成されている。これにより基部は上方へ即ち上昇方向へ自由終端縁を形成でき、その結果この終端縁により、昇降そうこうの上昇方向とは逆の方向に半そうこうの没入に対する磁気的抵抗が高められて、最終的に磁界からの半そうこうの脱出に必要な抵抗より大きくなる。
【００１０】
この場合特に脚辺が外方へ屈曲して形成されている。即ち屈曲により生じる弧は外方へ向いている。このような構成は、このために昇降そうこうの範囲に多くの空間が利用可能であるという点で有利である。
【００１１】
図面に基いて本発明を以下に説明する。
【００１２】
【実施例】
レノ耳形成装置１は、交互に動かされるそうこう枠に結合可能で、半そうこう５０を交互に連行する２つの昇降そうこう２，３を含んでいる。その動作原理はドイツ連邦共和国特許第３８１８６８０号明細書から公知なので、その説明を省略する。各昇降そうこう２，３は大体において２つの脚辺１０，２０を含み、各脚辺１０，２０は、織機の交互に動かされるそうこう枠の図示しないそうこう保持レールへ取付けるためのかぎ状素子１１又は２１を持つている。
【００１３】
図３に示す半そうこう５０は２つの脚辺５１，５２を持ち、これらの脚辺５１，５２は上端で頭部５３を形成しながら集合している。頭部５３は、半そうこう５０に通される静止糸を受入れる輪５４を持つている。脚辺５１，５２の下端はそれぞれ基部７０，８０を形成しながら屈曲して形成されている。この場合屈曲（矢印５５，５６）は、それぞれ外方へ突出する弧を形成するように選ばれているので、基部７０，８０は内方へ向いている。この場合基部７０，８０は、下方（矢印９０）へ先細になり、上方へ終端縁７１，８１を形成するように構成されている。基部の別の実施形態は図４〜７に示されている。
【００１４】
昇降そうこう２，３の脚辺２０は、半そうこう５０の脚辺５１，５２をそれぞれ受入れるスリツト２２（図２）を持つている。脚辺２０の上端には、半そうこう５０の脚辺５１，５２のために脚辺２０のスリツト２２の入口を示す案内開口３０が設けられている。これからわかるように、脚辺２０は原理的にスリツト２２を形成しながら２つの壁２５，２６から成り、これらの壁２５，２６はスリツト２２の縦辺でウエブ２３を形成しながら結合されている。
【００１５】
昇降そうこう２，３により半そうこう５０の運動を制御するため、昇降そうこう２，３は脚辺２０の下部範囲にそれぞれ磁石対４０を持つている。このような磁石対４０は、昇降そうこう２，３の脚辺２０の壁２５，２６に互いに対向して設けられている２つの磁石４１，４２から成つている。さて重要なことは、半そうこう５０の脚辺５１，５２の長さＸが、磁石４１，４２からウエプ２３（図２）の上端２４まで距離Ｙより大きいことである。なぜならば、これにより半そうこう５０の頭部５３ここでは特に屋根状結合ウエブ５９がもはやウエブ２３の上端２４の所まで来ないようにすることができる。
【００１６】
図４に示す基部では、下方へ円錐状に又はとがつて終る突起７５，８５が設けられ、それにより連続的な材料増加が保証される。
【００１７】
図５による基部では、同様に連続的な材料増加を可能にする尖端７６，８６が示されている。
【００１８】
図６による基部についても同じことが当てはまるが、ここでは基部の断面が下方へ尖端７７を形成し、従つて断面が下方へ減少している。
【００１９】
異なる基部を示すこれらすべての図では、常に終端縁７１，８１が設けられている。
【００２０】
図７は、半そうこうの脚辺が磁性材料から構成されず、尖端７８が磁性材料から構成されているという点で、他の実施形態とは相違している。従つて終端縁７１，８１は非磁性材料から磁性材料への移行部によつて形成される。しかしここでも、既に説明したように、尖端７８を形成するため基部が円錐状に構成されている。
【００２１】
この装置の動作は次の通りである。
一方の昇降そうこう２の上昇運動（矢印１００による上昇方向）の際、半そうこう５０の一方の脚辺５１は、他方の昇降そうこう３の磁石対４０の磁気的作用のため、上昇運動１００とは逆に更に一方の昇降そうこう２へ更に没入する必要がある。さて既に説明したように、磁気的抵抗即ち昇降そうこう２の磁石４１，４２により半そうこう５０の脚辺５１の基部７０へ及ぼされる磁力は、脚辺５２の基部８０が他方の昇降そうこう３から脱出するために必要な力より大きい。上昇方向は矢印１００により示されている。これは、半そうこう５０の脚辺５１の終端縁７１により、半そうこう５０の脚辺５２の下方へ先細になる基部８０が他方の昇降そうこうの磁石４１，４２の範囲から脱出する際に現われる磁気的抵抗より著しく大きい磁気的抵抗が既に設定されるからである。その理由は、他の個所で既に説明したように、基部８０が下方へ従つて矢印９０の方向へ先細になつているからである。昇降そうこう２が図１に示すように上昇せしめられず、その代わりに昇降そうこう３が上昇せしめられる時、上述した動作がちようど逆向きに行われる。
【図面の簡単な説明】
【図１】２つの昇降そうこう及び１つの半そうこうを持つレノ耳形成装置の側面図である。
【図２】（ａ）は半そうこうの側面図、（ｂ）は（ａ）の矢印ＩＩｂの方向に見た正面図である。
【図３】半そうこうの拡大側面図である。
【図４】半そうこうの脚辺の基部の実施形態の側面図である。
【図５】半そうこうの脚辺の基部の別の実施形態の側面図である。
【図６】（ａ）は半そうこうの脚辺の基部の更に別の実施形態の側面図、（ｂ）はその正面図である。
【図７】（ａ）は半そうこうの脚辺の基部の他の実施形態の側面図、（ｂ）はその正面図である。
【符号の説明】
１          レノ耳形成装置
２，３      昇降そうこう
４１，４２  磁石
５０        半そうこう
５３        頭部
７０，８０  基部
７１，８１  終端縁
１００      上昇方向
【図１】
0004039478.tif 000002
【図２】
0004039478.tif 000003
【図３】
0004039478.tif 000004
【図４】
0004039478.tif 000005
【図５】
0004039478.tif 000006
【図６】
0004039478.tif 000007
【図７】
0004039478.tif 000008